(57)【要約】【課題】清掃用剤を用いる清掃具において、清掃シートによる汚れ剥離作用と汚れ吸着ふき取り作用を確保し、清掃能力を向上すること。【解決手段】清掃具１０であって、清掃フレーム１１の底部に剤透過底部１２を設け、剤透過底部１２に清掃用剤を散布する剤吐出器２０を清掃フレーム１１に取付け、清掃フレーム１１の剤透過底部１２に清掃シート３０を巻付け可能にするもの。【選択図】  図１
2004242799.tif 000002
【特許請求の範囲】
【請求項１】
清掃フレームの底部に剤透過底部を設け、剤透過底部に清掃用剤を散布する剤吐出器を清掃フレームに取付けた清掃具。
【請求項２】
前記剤吐出器がスプレーノズルを備え、剤を霧状に噴霧可能にする請求項１に記載の清掃具。
【請求項３】
清掃フレームの剤透過底部に清掃シートを巻付け可能にする請求項１又は２に記載の清掃具。
【請求項４】
前記剤吐出器を清掃フレームの手握り部に着脱可能に設け、該剤吐出器を手動式とする請求項１〜３のいずれかに記載の清掃具。
【請求項５】
前記清掃フレームを柄と清掃ヘッドからなるものにし、清掃ヘッドの底部に剤透過底部を設け、剤容器を柄に設け、剤容器に接続される剤吐出器を清掃ヘッドに設ける請求項１〜３のいずれかに記載の清掃具。
【発明の詳細な説明】
【０００１】
【発明の属する技術分野】
本発明は清掃具に関する。
【０００２】
【従来の技術】
特許文献１に記載の如く、柄の下端に清掃ヘッドを連結し、柄の中間部に取付けられるワックスタンクと清掃ヘッドの内部に設けられるワックス槽とをパイプにて接続し、このパイプの中間部位に手動式開閉バルブを設けた清掃具がある。開閉バルブを開いてワックスタンクのワックスをパイプ経由でワックス槽に供給すると、ワックス槽に供給されたワックスがその流出孔から清掃ヘッドの底部に流れ出し、清掃ヘッドの底部に設けたクロスに含浸し、床面等に均一に塗布される。
【０００３】
【特許文献１】
特開平２−７７２２２（３頁、第１図）
【０００４】
【発明が解決しようとする課題】
特許文献１の清掃具では、ワックスタンクのワックスが開閉バルブを開いた状態で常時、清掃ヘッドの底部に滴下状態で流れ出すため、清掃シートはワックスの液で部分的に濡れ過ぎてびしょ濡れ状態になる。このため、ワックスを木製床の床面等に塗布することはできても、剤の適度な湿り気状態を付与された清掃シートによる畳やカーペットの床面等の汚れ吸着ふき取り作用を期待できない。
【０００５】
尚、清掃用剤を当初からびしょ濡れ状態でない、適度な湿り気状態で含浸させた清掃シートを用いることも考えられるが、そのような清掃シートでは短時間の使用経過で剤が蒸発してなくなり、剤の適度な湿り気状態を維持した清掃シートによる畳やカーペットの床面等の汚れ剥離作用及び汚れ吸着ふき取り作用を享受できなくなる。
【０００６】
本発明の課題は、清掃用剤を用いる清掃具において、清掃シートによる汚れ剥離作用と汚れ吸着ふき取り作用を確保し、清掃能力を向上することにある。
【０００７】
【課題を解決するための手段】
請求項１の発明は、清掃フレームの底部に剤透過底部を設け、剤透過底部に清掃用剤を散布する剤吐出器を清掃フレームに取付けた清掃具である。
【０００８】
【発明の実施の形態】
（第１実施形態）（図１〜図４）
清掃具１０は、清掃フレーム１１の底部に剤透過底部１２を設け、剤透過底部１２に清掃用剤を散布する剤吐出器２０を清掃フレーム１１に取付け、清掃フレーム１１の剤透過底部１２に清掃シート３０を巻付け可能にする。これにより、清掃具１０は、洗剤、ワックス等の清掃用剤を伴なう湿式、又は剤を伴なわない乾式により、畳、カーペット、板床等の床面や、テーブル面等の被清掃面を清掃可能にする。
【０００９】
清掃フレーム１１は、底フレーム１１Ａの下面の全面（又は下面の前側だけ等の一部でも可）をステンレス鋼製メッシュ、スポンジ等の板状多孔質体１２Ａによって覆い、多孔質体１２Ａの外周縁を底フレーム１１Ａの外周部に巻付ける如くの丸味をもたせて取付け、清掃用剤が透過し得る剤透過底部１２を構成する。底フレーム１１Ａは多孔質体１２Ａを支持するリブを備える。剤透過底部１２は、多孔質体１２Ａの外周縁に丸味を付与したから、床面等の被清掃面に直接摺接するときにも、被清掃面を傷つけない。
【００１０】
剤吐出器２０は、手動式スプレー容器２１からなる。スプレー容器２１は、本体２１Ａを清掃フレーム１１の手握り部１１Ｂに抱き込ませる如くに着脱可能に取付け、本体２１Ａの底部を底受部１１Ｃに保持され、本体２１Ａの首部を首受け部１１Ｄに嵌め込み保持される。スプレー容器２１のノズルヘッド２１Ｂは、手握り部１１Ｂを握った使用者の指先により押込み操作され、スプレーノズル（又は噴霧ノズル）２１Ｃから霧状に噴霧した内容剤を剤透過底部１２の上面に向けて散布する。
【００１１】
清掃シート３０は、剤透過底部１２の下面に巻付けられ、その巻付け端を底フレーム１１Ａの上面の側に折り返し、その折り返し部分を底フレーム１１Ａの上面に設けた係着テープ等のシート固定部１３に脱着自在に固定される。清掃シート３０は、紙、不織布、スポンジシート等の多孔質シートからなり、剤吐出器２０が剤透過底部１２に散布した剤を含浸させて適度な湿り気状態を得る。
【００１２】
清掃具１０の湿式による清掃動作時には、使用者は適宜のタイミングで剤吐出器２０を手動操作し、スプレー容器２１の剤をスプレーノズル２１Ｃから剤透過底部１２に向けて霧状に散布し、剤透過底部１２に巻付けた清掃シート３０に適度な湿り気状態を均一に付与する。使用者が清掃フレーム１１の手握り部１１Ｂを介して清掃シート３０を床面等の被清掃面上で摺動させることにより、剤がしみ出る清掃シート３０により湿式清掃する。
【００１３】
清掃具１０の乾式による清掃動作時には、使用者は剤吐出器２０を手動操作することなく、剤透過底部１２に巻付けた清掃シート３０を床面等の被清掃面上で摺動させ、清掃シート３０による乾式清掃を行なう。
【００１４】
本実施形態によれば以下の作用効果を奏する。
▲１▼剤吐出器２０を適度なタイミングで操作することにより、この剤吐出器２０が霧状等の形態で噴霧する清掃用剤を清掃フレーム１１の剤透過底部１２に散布させ、この剤透過底部１２に巻付けた清掃シート３０に均一に含浸させる。これにより、剤の適度な湿り気状態を均一に付与され、かつ維持される清掃シート３０による、畳やカーペットの床面等の被清掃面の汚れ剥離作用及び汚れ吸着ふき取り作用を享受できる。
【００１５】
▲２▼剤吐出器２０は、剤をスプレーノズルにより霧状に噴霧するから、剤を剤透過底部１２に広く均一に散布できる。
【００１６】
▲３▼使用者は、清掃フレーム１１の手握り部１１Ｂに取付けられた剤吐出器２０を手動操作することにより、清掃用剤を簡易に適度なタイミングで噴霧でき、操作性を向上できる。
【００１７】
尚、清掃具１０にあっては、清掃フレーム１１の剤透過底部１２に清掃シート３０を巻付けることなく、スポンジ状等の剤透過底部１２を床面等の被清掃面に直接摺動させることにより、湿式清掃又は乾式清掃するものでも良い。
【００１８】
（第２実施形態）（図５〜図７）
清掃具１１０は、柄１１１の下端に自在継手１１２を介して清掃ヘッド１２１を連結して本発明の清掃フレームを構成し、洗剤、ワックス等の清掃用剤を伴なう湿式、又は剤を伴なわない乾式により、床面等の被清掃具を清掃可能にする。
【００１９】
清掃具１１０は、柄１１１の中間部に剤容器としてのパウチ１０１を着脱可能に取付け、パウチ１０１に洗剤、ワックス等の剤を収容する。パウチ１０１は上端側の取付孔１０１Ａを柄１１１に通し、下端側の止め具１０１Ｂを柄１１１に係脱自在にする。
【００２０】
清掃具１１０は、清掃ヘッド１２１をベース１２２と、ベース１２２に嵌着されるカバー１２３にて構成し、カバー１２３に足踏作動式の剤吐出器１２４を設ける。
【００２１】
剤吐出器１２４は、足踏ポンプ式であり、カバー１２３の内外に貫通するように埋め込まれる有底箱状ポンプハウジング１２５と、ポンプハウジング１２５の内壁にシールリング１２６を介して液密かつ摺動自在に嵌合される有天箱状の足踏プランジャ１２７と、ポンプハウジング１２５の底面中央に設けた上向き突起１２５Ａとプランジャ１２７の天面（足踏面１２９）の中央に設けた下向き突起１２７Ａとに挿着されてプランジャ１２７を上向きに付勢するコイルスプリング１２８とを有する。
【００２２】
剤吐出器１２４は、ポンプハウジング１２５とプランジャ１２７によりポンプ室１３０を形成する。剤吐出器１２４は、スプリング１２８により上向きに付勢されているプランジャ１２７の天面の足踏面１２９を足踏することにより、プランジャ１２７をポンプハウジング１２５に押し込んでポンプ室１３０を収縮（加圧動作）し、プランジャ１２７の天面の幅方向の両側に設けた張り出し部１２７Ｃをカバー１２３（又はポンプハウジング１２５のフランジ１２５Ｃ）の上面に衝合させることにより、その押し込みの下動端を規制する。プランジャ１２７の足踏面１２９を足踏解除すると、スプリング１２８の付勢力がプランジャ１２７をポンプハウジング１２５から押出してポンプ室１３０を拡張（減圧動作）し、プランジャ１２７の外周に設けた係止部１２７Ｂをポンプハウジング１２５の内周に設けたストッパ１２５Ｂに係止させることにより、その押出しの上動端を規制する。
【００２３】
剤吐出器１２４は、パウチ１０１の剤吐出口に接続されるチューブ１３１が接続される流入ポート１３２を備える（図６（Ｂ））。流入ポート１３２はポンプハウジング１２５の底面側からフランジ１２５Ｃの上部に延在され、チェック弁１３３を内蔵する。剤吐出器１２４のポンプ室１３０が足踏解除により減圧動作せしめられるとき、チェック弁１３３はポンプ室１３０の側の十字状ボール止め１３４に当たり、パウチ１０１の剤をチューブ１３１、流入ポート１３２経由でポンプ室１３０に吸込む。剤吐出器１２４のポンプ室１３０が足踏により加圧動作せしめられるとき、チェック弁１３３はチューブ１３１の側の弁シート１３５に着座し、ポンプ室１３０に吸込み済の剤の逆流を止める。
【００２４】
剤吐出器１２４は、カバー１２３の内部に吐出ノズル１３６を設け、吐出ノズル１３６の吐出口１３７をベース１２２のメッシュ状（スポンジ状等の他の剤透過構造でも可）底部が構成する剤透過底部１３８に臨ませている。ノズル１３６は、スプレーノズル（又は噴霧ノズル）から霧状に噴霧した剤を、剤透過底部１３８の上面に向けて散布する。そして、剤吐出器１２４は、吐出ノズル１３６に接続されるチューブ１４１が接続される流出ポート１４２を備える（図６（Ａ））。流出ポート１４２はポンプハウジング１２５の底面側から清掃ヘッド１２１の内部に突設され、チェック弁１４３を内蔵する。剤吐出器１２４のポンプ室１３０が足踏により加圧動作せしめられるとき、チェック弁１４３はチューブ１４１の側の十字状ボール止め１４４に当たり、ポンプ室１３０の吸込み済の剤をチューブ１４１経由で吐出ノズル１３６の吐出口１３７から剤透過底部１３８に向けて吐出する。剤吐出器１２４のポンプ室１３０が足踏解除により減圧動作せしめられるとき、チェック弁１４３はポンプ室１３０の側の弁シート１４５に着座し、吐出ノズル１３６からの空気の逆流を止める。
【００２５】
清掃具１１０は、清掃ヘッド１２１のベース１２２の剤透過底部１３８に清掃シート１５１を巻付け可能にする。清掃シート１５１は、剤透過底部１３８の外面に巻付けられ、その巻付き端をカバー１２３の側に折り返し、その折り返し部分をカバー１２３の４隅側に設けたゴム状係止片１５２の係止スリット１５２Ａに押込み保持可能にする。清掃シート１５１は、紙、不織布、スポンジシート等の多孔質シートからなり、剤吐出器１２４が剤透過底部１３８に散布した剤を吸着し、透過させて外側表面にしみ出させる。
【００２６】
清掃具１１０の湿式によるによる清掃動作時には、使用者は適宜のタイミングで剤吐出器１２４のプランジャ１２７の足踏面１２９を足踏みし、パウチ１０１の剤を吐出ノズル１３６の吐出口１３７から剤透過底部１３８に散布し、清掃シート１５１からしみ出させる。使用者が柄１１１を介して清掃ヘッド１２１に巻付けた清掃シート１５１を床面等の被清掃部上で摺動させることにより、剤がしみ出る清掃シート１５１により湿式清掃する。
【００２７】
清掃具１１０の乾式による清掃動作時には、使用者は剤吐出器１２４のプランジャ１２７の足踏面１２９を足踏みすることなく、清掃ヘッド１２１に巻付けた清掃シート１５１を床面等の被清掃部上で摺動させ、清掃シート１５１による乾式清掃を行なう。このとき、柄１１からパウチ１を取外せば、清掃具１１０をより軽量化できる。
【００２８】
尚、清掃具１１０にあっては、清掃ヘッド１２１に清掃シート１５１を巻付けることなく、清掃ヘッド１２１のスポンジ状等の剤透過底部１３８を床面等の被清掃部上に直接摺動させることにより、湿式清掃又は乾式清掃するものでも良い。
【００２９】
本実施形態によれば以下の作用効果を奏する。
▲１▼剤吐出器１２４を適度なタイミングで操作することにより、この剤吐出器１２４が霧状等の形態で噴霧する清掃用剤を清掃ヘッド１２１の剤透過底部１３８に散布させ、この剤透過底部１３８に巻き付けた清掃シート１５１に均一に含浸させる。これにより、剤の適度な湿り気状態を均一に付与され、かつ維持される清掃シート１５１による、畳やカーペットの床面等の被清掃面の汚れ剥離作用及び汚れ吸着ふき取り作用を享受できる。
【００３０】
▲２▼剤吐出器１２４は、剤をスプレーノズルにより霧状に噴霧するから、剤を剤透過底部１３８に広く均一に散布できる。
【００３１】
▲３▼使用者は、清掃ヘッド１２１に設けられた剤吐出器１２４を足踏み操作することにより、清掃用剤を簡易に適度なタイミングで噴霧でき、操作性を向上できる。
【００３２】
尚、本実施形態によれば以下の作用効果も奏する。
▲４▼足踏作動式の剤吐出器１２４を清掃ヘッド１２１に設けたから、使用者は腰をかがめる等の必要なく、足踏によって剤吐出器１２４から剤を吐出させて清掃動作でき、剤の吐出操作性を向上できる。
【００３３】
▲５▼剤吐出器１２４の操作部を柄１１１の上部に設けるものに比して、柄１１１の内部にリンク機構等を延在する必要がなく、清掃具１１０を簡易かつ軽量化できる。
【００３４】
尚、本発明において、剤吐出器は清掃ヘッドに固定又は着脱自在のいずれでも良い。
【００３５】
また、本発明において、パウチ等の剤収容部は柄に取付けるものに限らず、清掃ヘッドに内蔵するものでも良い。
【００３６】
【発明の効果】
本発明によれば、清掃用剤を用いる清掃具において、清掃シートによる汚れ剥離作用と汚れ吸着ふき取り作用を確保し、清掃能力を向上することができる。
【図面の簡単な説明】
【図１】図１は清掃具を示す側面図である。
【図２】図２は図１の底面図である。
【図３】図３は図１の正面図である。
【図４】図４は図１の背面図である。
【図５】図５は清掃具を示す斜視図である。
【図６】図６は清掃ヘッドを示す断面図である。
【図７】図７は清掃ヘッドを示す分解図である。
【符号の説明】
１０  清掃具
１１  清掃フレーム
１１Ｂ  手握り部
１２  剤透過底部
２０  剤吐出器
３０  清掃シート
１１０  清掃具
１２１  清掃ヘッド
１２４  剤吐出器
１３７  吐出口
１３８  剤透過底部
１５１  清掃シート
【図１】
2004242799.tif 000003
【図２】
2004242799.tif 000004
【図３】
2004242799.tif 000005
【図４】
2004242799.tif 000006
【図５】
2004242799.tif 000007
【図６】
2004242799.tif 000008
【図７】
2004242799.tif 000009